(57)【特許請求の範囲】
【請求項１】
内燃機関あるいは外燃機関の排ガス中の未燃分すす及び灰分等の集塵装置として構成された粒子充填層集塵装置において、通気性を有する多孔板である排ガス流入面と排ガス流出面との間に粒子充填層を具備し，かつ該粒子充填層内の充填粒子間に静電界を加えるべく該排ガス流入面と該排ガス流出面との間に直流電圧を印加した粒子充填層フィルターを設け、該粒子充填層フィルターの上流側に円筒絶縁管の外面に外周部電極、及び内面に円筒内電極を有するバリア放電管を設置し、当該外周部電極に負極性の直流高電圧を重畳した交流電圧を印加して高濃度の単極性イオンを発生させることにより、前記粒子充填層フィルターに流入する前に排ガス中の微粒子に対し単極性の電荷を与えることを特徴とする粒子充填層集塵装置。
【請求項２】
前記粒子充填層内に充填された粒子を振動可能として，該粒子間に捕集された微粒子と層内の上部に非粒子空間を設けたことを特徴とする請求項１に記載の粒子充填層集塵装置。
【発明の詳細な説明】
【技術分野】
【０００１】
本発明は、内燃機関あるいは外燃機関から発生する排ガス中の粉塵、特に粒子径２.５μｍ以下の微粒子を効果的に捕集・除去する集塵装置に関するものである。
【背景技術】
【０００２】
従来、ディーゼル機関の排気ガス中のすす除去には無機質の多孔板フィルターが利用されているが、その微粒子捕集能力には限界があり、また目詰まり等による定期的な保守点検を行う必要がある等、メンテナンスが繁雑であるという問題点があった。また、大型ボイラーの燃焼排ガスの集塵には電気集塵器が広く採用されているが、１μｍ以下のサブミクロン級微粒子の捕集は困難であった。
【０００３】
また、本発明に類するものとして、粒子充填層を移動層として集塵装置に適用したものもあるが、粒子充填層による集塵においてもサブミクロン級の粒子の集塵は困難であった。
【特許文献１】特開２００１−１２９３３８号公報
【特許文献２】特許第３０２８４６６号公報
【発明の開示】
【発明が解決しようとする課題】
【０００４】
従来の技術にあっては次のような問題点を有している。
ディーゼル機関の排ガス中のすす等の微粒子除去には、無機質の多孔板フィルターを用いたものが実用化されている。しかし、フィルターでは人間の心肺機能に弊害の大きい粒子径２.５μｍ以下の微粒子の捕集には効果が不充分であるうえ、フィルターにすす等の微粒子が堆積するため、定期的にフィルターを交換する必要がある。また、微粒子除去装置が設置されているものもあるが、保守上の繁雑さやコストが高い等の問題点があり、その普及を阻害している。
【０００５】
ボイラーの場合、燃焼の際に発生する排ガスの集塵装置として電気集塵器が普及しているが、電気集塵器の集塵性能においてもサブミクロン級の集塵が困難であり、また、粒子充填層を移動層とすることにより集塵を行う集塵装置においても同様の問題点を有している。
【０００６】
従来の技術が有する上記の様な問題点に鑑み、本発明の目的とするところは、内燃機関あるいは外燃機関の排ガス中に含まれるすす・粉塵あるいは飛灰等のサブミクロン級の微粒子の捕集を可能にするための粒子充填層フィルターを有する粒子充填層集塵装置を提供することである。
【課題を解決するための手段】
【０００７】
上記目的を達成するために、本発明は次記のようになるものである。
請求項１に係る粒子充填層集塵装置は、内燃機関あるいは外燃機関の排ガス中の未燃分すす及び灰分等の微粒子の集塵装置として構成された粒子充填層集塵装置において、
通気性を有する多孔板である排ガス流入面と排ガス流出面との間に粒子充填層を具備しかつ該粒子充填層内の充填粒子間に静電界を加えるべく該排ガス流入面と該排ガス流出面との間に直流電圧を印加される粒子充填層フィルターと、
高濃度の単極性イオンを発生することにより前記排ガス流入面に流入する前に排ガス中の微粒子に対し単極性の電荷を与えるべく、該排ガス流入面より前段に設置されかつ直流高電圧を重畳した交流電圧を印加されるバリヤ放電管の放電電極と、を備えたことを特徴とする。
【０００８】
請求項２に係る粒子充填層集塵装置は、請求項１において、集塵された微粒子を焼却するべく前記粒子充填層内に設置された電気ヒーターをさらに備え、かつ、前記バリヤ放電管の放電電極に印加される交流電圧と重畳される直流高電圧が、オゾンを発生するべく負極性であることを特徴とする。
【０００９】
請求項３に係る粒子充填層集塵装置は、請求項１又は２において、前記粒子充填層内に充填された粒子を振動可能として該粒子間に捕集された微粒子と該粒子との固着を防止するべく、前記粒子充填層内の上部に非粒子空間を設けたことを特徴とする。
【００１０】
請求項４に係る粒子充填層集塵装置は、請求項１〜３のいずれかにおいて、前記排ガス流入面に流入する前に排ガス中の微粒子に対し単極性の電荷を与えるべく、前記バリヤ放電管の放電電極に替えて、該排ガス流入面より前段に設置された電気集塵機を備えたことを特徴とする。
【発明の効果】
【００１２】
本発明の粒子充填層集塵装置は、該粒子充填層フィルター内の粒子充填層に静電界を印加するとともに、該排ガス流入部に設置された微粒子荷電用の放電電極により該粒子充填層フィルター内に流入する排ガス中の微粒子が帯電するため、サブミクロン級の微粒子を９０％以上捕集し得る性能を有する。また、該粒子充填層フィルターを車輌搭載した場合、車輌走行時の振動により粒子充填層フィルターの粒子が揺動し、粒子とすす等の微粒子同士が固着することを防止できる。
【発明を実施するための最良の形態】
【００１３】
以下、実施例を示した図面を参照しつつ本発明の実施の形態を説明する。
粒子充填層に静電界を印加することより捕集性が向上することは特許文献２である特許第３０２８４６６号にも記載されているが、サブミクロン級粒子の捕集においては、その粒径が０.３〜０.５μｍ（代表粒径０.４μｍ）での捕集性能は排ガス中の微粒子の帯電の有無が捕集性能に支配的であることを検証した。
【００１４】
図１は、その実測結果を静電界強度と捕集効率において微粒子の帯電量（ｑ＝３９.７ｅ 〜３２.３ｅ,ｑ＝０；ｅは電気素量で約１.６×１０−１９Ｃ）をパラメータとして示したものである。電界強度１ｋＶ／ｃｍ、層高６ｃｍ、充填粒子径３ｍｍ、帯電量ｑ＝３９.７ｅ〜３２.３ｅ、空塔速度０.５ｍ／ｓの場合、捕集効率は微粒子の平均粒径０.４μｍにおいて９８〜８８％であった。一方、帯電量(無)ｑ＝０の場合は２２％であった。
【００１５】
図２は、粒子充填層高と捕集効率を粒子帯電量をパラメータとして示したものであるが、図１と同様に帯電量ｑ＝３９.７ｅとｑ＝３２.３ｅを比較すると、捕集効率では層高６ｃｍにおいて、前者では９７％、後者では８８％と捕集性能に差を生ずる。
【００１６】
以上の実測結果に基づき発明した本発明の実施例を以下に説明する。本発明による粒子充填層集塵装置をディーゼル機関の排気ガスすす除去装置に適用したものを図３に示す。図３（ａ）は本発明による粒子充填層集塵装置を円筒形にした場合の側断面図、（ｂ）は（ａ）のＡ−Ａ断面図を示すものである。ここでは本発明による粒子充填層集塵装置を円筒形状としているが、特に形状は限定されるものではなく、例えば平板状であってもよい。
円筒形ケース１内には、側面が多孔質で通気性を有する２つの円筒管である外筒管（通電性電極）２ａ及び内筒管（通気性円管）２ｂが同軸上に二重に設置され、両円筒管間に誘電体とする粒子を充填して粒子充填層２ｃを形成し、これらによって成る粒子充填層フィルター２が円筒形ケース１内に設置される。粒子充填層フィルター２の両端には絶縁支持部３があり、粒子充填層２ｃを密閉している。円筒形ケース１の左右両端には排ガス流入口７ａ及び排ガス流出口７ｂが設けられ、排ガス流入口７ａは粒子充填層フィルター２の中心の空間に通じ、この空間が、排ガス流入口７ａから流入した排ガスが粒子充填層フィルター２に進入するための排ガス通過部４を形成する。
【００１７】
排ガス中の微粒子は、排ガス通過部４を通過して内筒管２ｂ側の粒子充填層に堆積するため、内筒管２ｂの外周側に微粒子を焼却する電気ヒーター５が設置されている。また、粒子充填層２ｃ内の粒子は外筒管２ａに完全に拘束されないようにするため、粒子充填層２ｃ上部に非粒子空間である粒子充填層空間６を有している。該粒子充填層フィルター２を車輌に搭載する場合、走行時の振動により粒子は揺動し得るものとして、粒子充填層２ｃ内で粒子と微粒子とが固着することを防止できる。
【００１８】
排ガスは排ガス流入口７ａ及び排ガス流出口７ｂ間を矢印（→）の方向に流れる。該排ガス中の微粒子の集塵効率を向上させるために、排ガス中の微粒子を帯電させるために排ガス流入口７ａに設置された放電電極８が、該粒子充填層２ｃに流入する前の排ガス中の微粒子に単極性電荷を付与し、帯電粒子とした後、高電圧発生器１０より粒子充填層２ｃに電圧が供給され静電界が印加される。これにより、粒子充填層２ｃに流入した該帯電粒子は粒子充填層２ｃ内に効率的に捕集される。
【００１９】
粒子充填層２ｃ内、特に内筒管２ｂ側に堆積する微粒子は、電気ヒーター５によって焼却される。電気ヒーター５にはヒーター用電源１１よりヒーター電源開閉器９を経由して電気が供給される。電気ヒーター５はほぼ接地電位にあるため、直流高電圧が重畳された放電電極８から単極性イオンを引き出すとともに、外筒管２ａの対向電極として機能するため、粒子充填層２ｃに静電界をかけることができる。
【００２０】
排ガス中の微粒子に単極性電荷を与えるために、該高電圧発生器１０が絶縁体を介して負極性の直流高電圧を重畳する交流バリヤ放電管を用いる場合、該バリヤ放電管の電極が格子状のものを図４に、またコイル状のものを図５にそれぞれ示す。
【００２１】
図４に示す第１の形式では、円筒絶縁管８ａの外周部に格子状電極８ｂを金属蒸着し、円筒絶縁管８ａの内面全体に円筒内電極８ｃを金属蒸着してバリヤ放電管８を形成する。この場合、万一、格子状電極８ｂの一部が断線しても導通が絶たれることがないため性能の低下が起こらない。
【００２２】
また、図５に示す第２の形式では、円筒絶縁管８ａの外周部にコイル状電極８ｄを取り付け、円筒絶縁管８ａの内面全体に円筒内電極８ｃを金属蒸着してバリヤ放電管８を形成する。第１あるいは第２いずれの形式でも、その外周部電極に直流を重畳する交流バリヤ放電によりガス中に高濃度の単極性イオンを放出し、微粒子を帯電粒子として粒子充填層２ｃに供給する。また重畳する直流を負極性にすることにより、微粒子の燃焼を促進するオゾンを効果的に発生することができる。
【００２３】
ディーゼル機関の排ガス中の微粒子除去に本発明による電界印加による粒子充填層フィルター２を適用する場合は、電界印加用の接地電極を電気ヒーター５としてすす焼却用にも併用し、また車輌搭載の場合、走行時の振動により粒子充填層２ｃ内で粒子が揺動することにより、微粒子の固着防止を図ることができる。
【００２４】
ボイラー燃焼の排ガス中に含まれる灰分の集塵に電気集塵器を使用する場合、電気集塵器では捕集し難い微粒子を捕集するために、本発明による粒子充填層フィルター２を電気集塵器の後段に設置して使用することができる。その場合は、排ガス中の微粒子は電気集塵器において帯電するため、排ガス流入口７ａにおけるバリヤ放電管８を必要としない構成となる。
【００２５】
また、ボイラー燃焼排ガスに含まれる不燃性微粒子の捕集に本発明を使用する場合には、電界印加により粒子充填層２ｃ内の粒子が上部から下部へ移動する粒子移動層を形成して、集塵器の外部で分離器により堆積微粒子を除去するものとする。当該方式については、本発明者瀬戸弘の出願による特許第３０２８４６６号（平成１２年２月４日登録）によるものがある。
【図面の簡単な説明】
【００２６】
【図１】微粒子帯電量をパラメータとして粒子充填層の静電界強度と捕集効率の関係を示したグラフである。
【図２】微粒子帯電量をパラメータとして粒子充填層の粒子充填層高と捕集効率の関係を示したグラフである。
【図３】（ａ）は本発明による粒子充填層集塵装置側断面図、（ｂ）は（ａ）のＡ−Ａ断面図である。
【図４】（ａ）は本発明による排ガス中の微粒子帯電用放電電極の格子状電極側断面図、（ｂ）は（ａ）のＡ−Ａ断面図である。
【図５】（ａ）は本発明による排ガス中の微粒子帯電用放電電極のコイル状電極側断面図、（ｂ）は（ａ）のＡ−Ａ断面図である。
【符号の説明】
【００２７】
１    円筒形ケース  
２    粒子充填層フィルター
２ａ    外筒管（通電性電極）
２ｂ    内筒管（通気性円管）
２ｃ    粒子充填層
３    絶縁支持部
４    排ガス通過部
５    電気ヒーター（接地電極兼用）
６    粒子充填層空間
７ａ   排ガス流入口
７ｂ   排ガス流出口
８    放電電極
８ａ   円筒絶縁管
８ｂ   格子状電極
８ｃ   円筒内電極
８ｄ   コイル状電極
９    ヒーター電源開閉器
１０    高電圧発生器
１１    ヒーター用電源
【図１】
0004759773.tif 000002
【図２】
0004759773.tif 000003
【図３】
0004759773.tif 000004
【図４】
0004759773.tif 000005
【図５】
0004759773.tif 000006